(57)【特許請求の範囲】
【請求項１】
(a)  第1の部分および第2の部分を伴う上面を有する銃器であって、前記第1の部分および前記第2の部分は段差によって定められ、前記段差は所定の高さを有する、銃器と、
(b)  前記上面の前記第2の部分に嵌まるように作用可能なアダプタ板であって、前記アダプタ板は、前記段差の前記高さより厚くない厚さを有し、少なくとも1つの搭載特徴部を備えかつ前記アダプタ板の局所形態を画定する第1の構成を有する、アダプタ板と、
(c)  下面を有する光学照準器であって、前記光学照準器の前記下面は、前記上面の前記第1の部分に直接的に留め付けられかつ前記アダプタ板にわたって延びており、前記アダプタ板は前記第2の部分にあり、前記光学照準器の前記下面は、少なくとも１つの前記搭載特徴部と相補的である少なくとも１つの局所形態特徴部を備える第2の構成を有し、それによって前記光学照準器の少なくとも１つの前記局所形態特徴部が前記アダプタ板の少なくとも１つの前記搭載特徴部に合致し、前記アダプタ板は、前記光学照準器を前記銃器の前記上面に対して位置合わせするように作用可能である、光学照準器と、
を備える装置。
【請求項２】
前記上面の前記第1の部分は前記第2の部分より大きい、請求項1に記載の装置。
【請求項３】
前記第1の部分には少なくとも1つの取付位置が形成されており、前記光学照準器には少なくとも1つの対応する取付位置が形成されており、前記装置は、前記光学照準器を前記第1の部分に留め付けるために、前記光学照準器の少なくとも1つの前記取付位置および前記銃器の前記上面の少なくとも1つの前記対応する取付位置と協働する少なくとも1つの留め具をさらに備える、請求項1に記載の装置。
【請求項４】
前記第1の部分には少なくとも1つの取付位置が形成されており、前記光学照準器には少なくとも1つの対応する取付位置が形成されており、前記装置は、前記光学照準器を前記銃器の前記上面の前記第1の部分に留め付けるために、少なくとも1つの前記取付位置および前記対応する取付位置と協働する少なくとも1つの留め具をさらに備える、請求項1に記載の装置。
【請求項５】
前記銃器は照星と照門とを有し、前記光学照準器と前記照星および前記照門とは共通した目視となる、請求項1に記載の装置。
【請求項６】
前記第2の部分と前記アダプタ板との間に位置するバネをさらに備える、請求項1に記載の装置。
【請求項７】
バネをさらに備え、前記アダプタ板は、特徴部が形成された下面を有し、前記アダプタ板の前記下面の前記特徴部は前記バネを受け入れることができる、請求項1に記載の装置。
【請求項８】
バネをさらに備え、前記第2の部分には特徴部が形成されており、前記第2の部分の前記特徴部は前記バネを受け入れるように作用可能である、請求項1に記載の装置。
【請求項９】
前記上面の前記第2の部分は第1の形状を有し、前記アダプタ板は第2の形状を有し、前記第1の形状と前記第2の形状とは相補的な形状である、請求項1に記載の装置。
【請求項１０】
前記アダプタ板は、複数の交換可能なアダプタ板のうちの１つであり、複数の交換可能な前記アダプタ板の各々は、異なる第1の構成を有する、請求項1に記載の装置。
【請求項１１】
(a)  第1の部分および第2の部分を含む上面を有する銃器であって、前記第2の部分は前記第1の部分に対する段差によって定められ、前記段差は所定の高さを有し、前記第1の部分には少なくとも1つの取付位置が形成されており、前記第2の部分は第1の形状を有する、銃器と、
(b)  前記上面の前記第2の部分に受け入れ可能なアダプタ板であって、前記アダプタ板は第2の形状を有し、前記第2の形状は前記第2の部分の前記第1の形状と相補的であり、前記アダプタ板は、少なくとも1つの搭載特徴部を備えかつ前記アダプタ板の局所形態を画定する第1の構成を有する、アダプタ板と、
(c)  下面を有する光学照準器であって、前記光学照準器の前記下面は、前記銃器の前記上面の前記第1の部分に一致し、前記第1の部分に直接的に留め付けられ、かつ前記第2の部分にある前記アダプタ板にわたって延び、前記光学照準器の前記下面は、少なくとも1つの前記搭載特徴部と相補的である少なくとも１つの局所形態特徴部を備える第2の構成を有し、それによって前記光学照準器の少なくとも１つの前記局所形態特徴部が前記アダプタ板の少なくとも1つの前記搭載特徴部に合致し、前記アダプタ板は、前記光学照準器を前記銃器の前記上面と位置合わせするように作用可能である、光学照準器と、
を備える装置。
【請求項１２】
前記アダプタ板と前記第2の部分との間に受け入れられるバネをさらに備える、請求項11に記載の装置。
【請求項１３】
前記アダプタ板は厚さを有し、前記段差は高さを有し、前記アダプタ板の前記厚さは前記段差の前記高さより小さい、請求項11に記載の装置。
【請求項１４】
前記第1の部分は前記第2の部分より大きい、請求項11に記載の装置。
【請求項１５】
前記第1の部分は前記光学照準器の下面に一致する、請求項11に記載の装置。
【請求項１６】
前記光学照準器には少なくとも1つの取付位置が形成されており、前記第1の部分には少なくとも1つの対応する取付位置が形成されており、前記銃器は、前記光学照準器の少なくとも1つの前記取付位置および前記第1の部分に形成された少なくとも1つの前記対応する取付位置に受け入れられる少なくとも1つの留め具をさらに備え、少なくとも1つの前記留め具は前記光学照準器を前記銃器の前記上面の前記第1の部分に固定する、請求項11に記載の装置。
【請求項１７】
前記アダプタ板の前記第1の構成は少なくとも1つの搭載特徴部を含む、請求項11に記載の装置。
【請求項１８】
前記銃器は照星および照門を有してもよく、前記照星および前記照門は前記光学照準器と共通した目視となる、請求項11に記載の装置。
【請求項１９】
前記アダプタ板は、複数の交換可能なアダプタ板のうちの１つであり、複数の交換可能な前記アダプタ板の各々は、異なる第1の構成を有する、請求項11に記載の装置。
【請求項２０】
(a)  第1の部分および第2の部分を含む上面を有する銃器であって、前記第1の部分および前記第2の部分は段差によって定められ、前記段差は所定の高さを有する、銃器と、
(b)  前記上面の前記第2の部分に嵌まるように作用可能なアダプタ板であって、前記アダプタ板は、前記段差の前記高さより厚くない厚さを有し、前記アダプタ板は上面を有しており、当該上面には搭載杭が配置される、アダプタ板と、
(c)  下面を有する光学照準器であって、前記光学照準器の前記下面は、前記上面の前記第1の部分に直接的に留め付けられかつ前記アダプタ板にわたって延び、前記アダプタ板は前記第2の部分にあり、前記光学照準器の前記下面は、前記搭載杭と相補的である搭載孔を有し、前記搭載孔内への前記搭載杭の受け入れによって前記アダプタ板が組立のために前記光学照準器に相互接続され、前記搭載杭および前記搭載孔の配向は、前記光学照準器を前記銃器の前記上面に対して位置合わせするように構成される、光学照準器と、
を備える装置。
【発明の詳細な説明】
【技術分野】
【０００１】
関連出願
本出願は、その内容全体が参照により本明細書に組み込まれている2017年8月14日に出願された米国仮特許出願第62/545,122号のPCT第8条の下での優先権の便益を主張する。
【０００２】
本開示は、銃器およびその照準器に関し、より詳細には、光学照準器が取り付けられ得る銃器に関する。
【背景技術】
【０００３】
銃器には通常、固定された照準器、典型的には照星および照門が備えられている。自動拳銃などの拳銃では、スライドがバレルにわたるピストルの前部からレシーバにわたるピストルの後部へと延びており、銃が発砲するときに往復運動し、銃を発砲させた直後に後方にスライドし、新たな銃弾を込めるために前方にスライドし、射撃統制システムをリセットする。
【０００４】
近年、光学式の銃の照準器は、照準器の大きさ、重量の低減、および向上したエネルギー効率などの開発を通じて向上されており、現在では他の銃器の種類に加えて自動拳銃のスライドに照準器を固定することが実際的であるところまで達している。使用者が標的に当てる能力は、使用者の正確に狙う能力にある程度依存している。向上した銃の照準器は、銃が発砲させられるとき、使用者の狙う能力を向上させることができる。
【０００５】
これらの向上した銃の照準器は、反射またはホログラフィックの照準器を含む。それらの照準器はレンズを使用し、光を投射することにより、その瞬間に銃が発砲した場合に銃弾が標的に命中するであろう場所を指示する、光学ファインダ内で視認できる標的の画像に重ね合わされた赤い点または他の照準指示体を生成する。標的はそれ自体に赤い点を有しておらず、照準器が赤い点をファインダ内でそのように見せる。
【０００６】
光学照準器は、スライドに搭載することによってピストルで使用できる。発砲の後にスライドが往復運動し、素早く往復運動するため、スライドへの光学照準器の取り付けは確実にされなければならない。一部の拳銃は照門の代わりに光学照準器を有し、その種類の取り付けの一体的な性質は、確実な連結を確保するのを助ける。
【０００７】
一部の拳銃は、特定の光学照準器を取り付けるための場所を提供する。ここでも、取り付けの種類は、取り外し可能に設計されるとしても、銃が特定の取り外し可能な光学照準器を受け入れるため、なおも比較的確実となっている。
【０００８】
また、銃器工を雇って、特定の光学照準器を受け入れるように既存のピストルを改造することも可能である。
【０００９】
光学照準器の技術では引き続き向上が行われており、より優れた照準器が利用可能になっているため、所有者が様々な製造者から利用可能になり得る任意の向上された光学照準器を使用者のピストルに搭載することができ、確実に搭載することができるシステムに対する要求がある。
【００１０】
この要求に対する1つの一般的な解決策は、アダプタ板を受け入れるピストルのスライドの上面に形成された「切削」または平坦の領域の使用である。アダプタ板は光学照準器に対応し、銃がその光学照準器を受け入れるための境界面を提供する。異なるアダプタ板が、異なる光学照準器をその銃に適合させるために必要とされる。ネジが、光学照準器をアダプタ板とアダプタ板の下方のスライドとに取り付ける。この方法は、汎用性を提供するが、直接的な搭載の解決策の確実性を欠いており、直接的な搭載の解決策に比べて光学照準器をスライド上方の高いところに配置することにより、既存の照準器と共通した目視を行うことが難しくなる。
【発明の概要】
【発明が解決しようとする課題】
【００１１】
アフターマーケットの光学照準器を自動ピストルのスライドに取り外し可能に取り付けるより好適な方法があれば有利である。
【課題を解決するための手段】
【００１２】
その主要な態様によれば、簡潔に言って、本明細書では、ピストルまたは他の銃器のスライドに光学照準器を取り外し可能に取り付けることができるためのシステムが開示される。本システムは、直接的な搭載の解決策の確実性および低い位置決めを失うことなく、アダプタ板の汎用性を提供する。この汎用性は、代わりの照準システムで既存の照準器の連続した使用を可能にすることができる。
【００１３】
本開示の特徴は、第1の部分と第2の部分とを有する上面を伴うピストルのスライドである。第1の部分および第2の部分は、第1の部分から第2の部分へと下がる段差によって定められる。アダプタ板はシステムの一部として提供される。アダプタ板のうちのいずれか1つが第2の部分の中に嵌まる。アダプタ板は、アダプタ板が所定の方法および配向において第2の部分に嵌まるように、第2の部分の形状と相補的な形状を有する。アダプタ板は、特定の光学照準器の下面の第2の構成に合致する第1の構成も上面に有する。異なる光学照準器を使用するために、異なる光学照準器に対応する異なるアダプタ板が使用される。光学照準器は、留め具を使用して、スライドの第1の部分に直接的に接触して取り付けられる。光学照準器の一部分は、アダプタ板がスライドの上面の第2の部分に位置決めされるときにアダプタ板の上面の相補的な第1の構成と係合するために、第2の部分にわたって延び、それによって、下面において第2の構成を含む光学照準器のその一部分を片持ち梁状にさせる。異なる光学照準器が使用される場合、選択された異なる光学照準器の底がその対応するアダプタ板と合致でき、ピストルに直接的に固定され得るように、対応するアダプタ板がピストンのスライドに合致させられ得る。
【００１４】
本開示の別の特徴は、前記上面の第1の部分は前記第2の部分より大きいことである。
【００１５】
本開示のさらに別の特徴は、少なくとも1つの留め具が光学照準器を銃器の上面の第1の部分にアダプタ板を介さずに直接的に固定するように、第1の部分が少なくとも1つの取付位置を有し、光学照準器が対応する少なくとも1つの取付位置を有することである。
【００１６】
本開示の特徴は、アダプタ板が第2の部分と第1の部分との間の段差の高さより厚くない厚さを有し、そのためバネを第2の部分とアダプタ板の底との間に配置させることができることである。アダプタ板の下面、第2の部分の表面、またはそれら両方には、バネを受け入れて保持するために相補的な特徴部が形成され得る。
【００１７】
本開示の特徴は、第1の部分が、湾曲したまたは平坦な形状など、それに取り付けられる光学照準器の形状と相補的となる形状を有し得ることである。
【００１８】
本開示の他の特徴は、アダプタ板の上面の第1の構成が少なくとも1つの搭載特徴部を備え得ることである。
【００１９】
これらの特徴および他の特徴と、それらの利点とは、添付の図面を伴う詳細な記載を注意深く読むことで、銃器における当業者には明らかとなる。
【００２０】
他に定められていない場合、本明細書で使用されているすべての技術的および/または科学的な用語は、本発明が関係する技術において当業者によって一般的に理解されるのと同じ意味を有する。本明細書に記載されているものと同様または均等な方法および材料が、本発明の実施形態の実施または試験において使用され得るが、例示の方法および/または材料が以下に記載されている。矛盾のある場合、定義を含め、特許明細書が支配する。また、材料、方法、および例は単なる具体例であり、必ずしも限定になるようには意図されていない。
【００２１】
一部の実施形態が、添付の図面を参照して、単なる例として本明細書に記載される。ここで図面を詳細に特定して参照するが、強調されるのは、図示されている詳細が例であり、必ずしも一定の縮尺でなく、本発明の実施形態の例示の詳述の目的のためであることである。この点において、図面を用いた記載は、本発明の実施形態がどのように実施できるかを当業者に明らかにする。
【図面の簡単な説明】
【００２２】
【図１】本開示の態様による自動拳銃の左側側面図である。
【図２】本開示の態様による、図1に示されたスライドの上方左側からの斜視図であり、スライドの第1の部分および第2の部分を、アダプタ板がスライドの第2の部分に位置決めされている状態で示すために、光学照準器が取り外されている状態の図である。
【図３】本開示の態様による、図2に示されたスライドの上方左側からの斜視図であり、第2の部分に形成された特徴部によって保持されたバネを示すためにアダプタ板が取り外されている状態の図である。
【図４Ａ】本開示の態様によるアダプタ板の斜視上面図である。
【図４Ｂ】本開示の態様によるアダプタ板の上面図である。
【図４Ｃ】本開示の態様によるアダプタ板の右側面図である。
【図４Ｄ】本開示の態様によるアダプタ板の下面図である。
【図５】局所形態の特徴および取付位置を示す光学照準器の下方左側からの斜視図である。
【発明を実施するための形態】
【００２３】
ここで開示されるのは、いくつかの異なる光学照準器のいずれか1つを受け入れるように適合された銃器であり、その光学照準器は、交換可能に、銃器の上面に直接的に取り付けられ得る。
【００２４】
ここで図を参照すると、銃器は、図示されているようなピストル10、または、他の種類の銃器であり得る。光学照準器30が、ピストル10の狙いをつける際に使用するための照準装置である。
【００２５】
光学照準器30は、アダプタ板を介してピストル10の上面に留め付けられる場合よりも確実な取り付けのために、ピストル10の上面14に直接的に取り付けられる。本明細書に開示されるように、上面14への光学照準器30の直接的な取り付けを許容するアダプタ板58が、光学照準器30のために選択され、アダプタ板58の使用によって、その特定の光学照準器30をピストル10と位置合わせさせる。また、光学照準器30は、ピストル10にある既存の鉄の照準器と光学照準器30とを共通して目視できるような方法で取り付けられる。共通した目視とは、照門26が、照星22と位置合わせされたとき、銃弾が標的に命中する場所を指示するように光学照準器30と位置合わせすることを意味する。共通した目視は、使用者の狙いを補完する効果を有する。
【００２６】
ピストル10は、図1に示されているように、発砲のために使用者によってある配向で保持されたとき、上面14を有するスライド18を備え、スライド18は往復運動する。スライド18の前端、つまり、撃とうとする場合に手にピストル10を保持している使用者から離れる方の端は、照星22を担持し、スライド18の後端は照門26を担持する。したがって、照星22および照門26はピストル10のスライド18の上面14にある。光学照準器30は、照星22と照門26との間でスライド18の上面14に取り付けられる。したがって、照門26は、光学照準器30を設置するために取り外される必要はない。
【００２７】
図2に見られるように、上面14は第1の部分34を有し、図3に見られるように、スライド18の上面14の隣接する部分である隣接した第2の部分38を有する。光学照準器30は、図1に見られるように、第1の部分34と第2の部分38とに跨る。
【００２８】
光学照準器30の下面74の一部分は、図1に見られるように、第1の部分34においてスライド18の上面14に取り付けられ、下面74の残りの部分は、第2の部分38にわたって片持ち梁状になる。第1の部分34は、光学照準器30の下面74の一部分に形状が一致する。上面の第1の部分34には、少なくとも1つの取付位置が形成されており、光学照準器30には、対応する少なくとも1つの取付位置が形成されている。取付位置は第1の部分34にある場所であり、対応する取付位置は光学照準器30上の場所である。取付位置と、対応する取付位置とは、位置合わせ可能なあらかじめ穿孔された孔であり得る。少なくとも1つの留め具が、光学照準器における各々の取付位置を、第1の部分34における対応する取付位置に取り付けるために使用される。光学照準器30は、例えば、ネジ46を使用して第1の部分34に取り付けられ得る。
【００２９】
図2または図3を図5と比較することで最も良く分かるように、2つのネジ46が、ネジ46を受け入れるために第1の部分34に形成されたあらかじめ穿孔されてネジ山の切られたネジ孔50(図2または図3)と位置合わせする光学照準器30のあらかじめ穿孔されてネジ山の切られた2つのネジ孔54(図5)に挿入される。ネジ46は、第2の部分38の中を通らない、または第2の部分38を貫通しない。
【００３０】
対応するいくつかの取付位置が第1の部分に形成されてもよい。4つの孔50が図2および図3に示されており、そのうちの一部またはそれらの全部が、光学照準器30をピストル10に取り付けるために、選択された光学照準器30を固定するのに使用され得る。異なる光学照準器が異なる取り付けの位置を有してもよく、そのため、一部の対応する取付位置は、使用者によって選択された光学照準器30に応じて、使用されない可能性がある。
【００３１】
第2の部分38は第1の部分34から一段下げられており、ある形状を有している。形状という言葉は、第2の部分の外周部の形状を言う。図3は、第2の部分38についての形状の例を示している。その形状は、アダプタ板58を受け入れて配向するためのキーとして作用する。段差62が、第1の部分34と第2の部分38との間の境界を定めている。段差62(図1および図3に見られる)は、第2の部分38と第1の部分34との間の高度の差である高さを有し、図示されているように、第2の部分38は第1の部分34より低くなっている。
【００３２】
アダプタ板58は、第2の部分38の形状に合わせてアダプタ板58を板58の形状と嵌まらせることができる配向で、第2の部分38に挿入可能である。アダプタ板58は、すべて第2の部分38と同じ形状であるアダプタ板58のセットから選択され、したがって、正しい配向で第2の部分38に挿入させることができる。
【００３３】
各々のアダプタ板58は、各々1つが特定の光学照準器30と相補的となるように、その上方面66において異なる局所形態を有する。局所形態という言葉は、本明細書では、図4A、図4B、および図4Cにおいて最も良く見られる円柱形の杭である搭載杭78など、上方面66の特徴部を指示するために使用されている。アダプタ板58の上方面66の局所形態は、搭載杭78ではなく窪みを有することを含め、図示されているものと異なる特徴を代替で有してもよく、その特徴は、光学照準器30の下面74における局所的な特徴と相補的になるように選択および成形される。相補的という言葉は、本明細書では、アダプタ板58における局所形態の特徴が光学照準器30の下面74における局所形態の特徴と係合するように設計されることを意味するために使用されており、つまり、一方の局所形態の特徴が、局所形態の特徴に隣接する表面同士が係合するように、他方の特徴に合致する。例として、アダプタ板58における搭載杭78は、光学照準器30の下面74において1つまたは複数の搭載孔70に受け入れられ、そのため、搭載杭78の正の体積が搭載孔70の負の体積を満たす。
【００３４】
光学照準器30には、図5に示されているように、その下面74に搭載孔70が形成され得、搭載孔70は、アダプタ板58における搭載杭78と相補的であることにより、光学照準器30をアダプタ板58上に正しい配向で着座させることができ、光学照準器30がその配向から側方へ移動しやすくなるのではなく、ピストル10において側方に固定、位置決め、および配向された状態を保つようにする。
【００３５】
アダプタ板58は、第2の部分38とアダプタ板58との間にOリング82などのバネを収容するために、第1の部分34と第2の部分38との間に段差62の高さより若干小さい厚さを有する。Oリング82の使用は、ネジ46が光学照準器30をスライド18の上面14の第1の部分34に保持することによって生じる、アダプタ板58における光学照準器30の片持ち梁状の部分によって発揮される圧縮力に抗する力を提供する。Oリング82は、上面14に対するアダプタ板58の相対移動も低減する。
【００３６】
また、相補的な局所形態である光学照準器30の下面74の局所形態とアダプタ板58の上方面66の局所形態とは、アダプタ板58に対する光学照準器30の側方への移動を制限する。
【００３７】
ピストル10のスライド18の上面14の一部である第1の部分34は、上面14の他の部分と必ずしも同じ高度ではない可能性があるが、上面14の他の部分より低い(および、第2の部分38より高い)可能性がある。第2の部分38は、段差62のため、第1の部分34より低くなっている。第1の部分34は、光学照準器30の下面と完全に係合するために、図示されているように平坦であり得るか、または、湾曲され得る。第1の部分34を上面14の他の部分の高度から低下させることによって、光学照準器30を、ピストル10に取り付けられるとき、ピストル10の既存の照星22および照門26と共通した目視とさせることができる。
【００３８】
銃器の当業者は、多くの代用および変更が、本開示の精神および範囲から逸脱することなく、前述の記載および添付の図面に行われ得ることを理解するものである。
【００３９】
「備える」、「備えている」、「含む」、「含んでいる」、「有している」という用語、およびそれらの同根語は、「〜を限定されることなく含んでいる」ことを意味する。
【００４０】
「〜成る」という用語は「〜を含んで限定される」ことを意味する。
【００４１】
「〜本質的に成る」という用語は、組成、方法、または構造が追加の成分、ステップ、および/または部品を含み得るが、その追加の成分、ステップ、および/または部品が、請求される組成、方法、または構造の基本的な新規の特徴を実質的に変えない場合のみであることを意味する。
【００４２】
本明細書で使用されるとき、単数形の「a」、「an」および「the」は、文脈が明確に別段に指定しない限り複数の言及を含んでいる。例えば、「1つの複合物」または「少なくとも1つの複合物」という用語は、その混合物を含め、複数の複合物を含み得る。
【００４３】
明確性のために、別々の実施形態の文脈において記載されている本発明の特定の特徴が、単一の実施形態において組み合わせて提供されてもよいことは、理解される。反対に、簡潔性のために、単一の実施形態の文脈において記載されている本発明の様々な特徴は、別々に提供されてもよく、任意の適切な部分組み合わせで提供されてもよく、または、本発明の任意の他の記載されている実施形態において適切であるとして提供されてもよい。様々な実施形態の文脈において記載されている特定の特徴は、実施形態がそれらの要素なしでは機能しないのでなければ、それらの実施形態の必須の特徴と見なされない。
【００４４】
本明細書において言及されているすべての公報、特許、および特許出願は、本明細書において、各々の個別の公報、特許、および特許出願が参照により本明細書に組み込まれるように明確に個別に指示されているかのように、同じ限度まで参照によりそれらの全体において明細書に組み込まれている。また、この出願における任意の参照の引用または特定は、このような参照が本発明に対する先行技術として利用可能であることを認めるとして解釈されるものではない。節の表題が使用されている限りにおいて、それらの表題は必ずしも限定として解釈されるべきではない。
【符号の説明】
【００４５】
10  ピストル
14  上面
18  スライド
22  照星
26  照門
30  光学照準器
34  第1の部分
38  第2の部分
46  ネジ
50  ネジ孔
54  ネジ孔
58  アダプタ板
62  段差
66  上方面
70  搭載孔
74  下面
78  搭載杭
82  Oリング
【要約】
銃器は、光学照準器が取り付けられる上面を有し、その上面は、第1の部分と、第1の部分から一段下げられた隣接する第2の部分とを有する。アダプタ板が第2の部分に受け入れられ、アダプタ板の形状は、アダプタ板を適切に配向するために第2の部分に対応する。第2の部分の底とアダプタ板の下側とは、バネを受け入れるための特徴部を有する。光学照準器が、少なくとも1つの留め具で第1の部分に取り付けられ、光学照準器の一部分が第2の部分にわたってアダプタ板において片持ち梁状にされている状態で、ピストルのスライドに直接的に取り付けられる。アダプタ板の上方面は、光学照準器のその一部分の下側における相補的な局所形態に対応する局所形態を有する。【図１】
0006746034.tif 000002
【図２】
0006746034.tif 000003
【図３】
0006746034.tif 000004
【図４Ａ】
0006746034.tif 000005
【図４Ｂ】
0006746034.tif 000006
【図４Ｃ】
0006746034.tif 000007
【図４Ｄ】
0006746034.tif 000008
【図５】
0006746034.tif 000009